(57)【要約】      （修正有）【課題】腰に巻き付ける弾帯に、肩に掛ける吊りバンドを着脱自在に取付け、弾帯に挿着した携帯具を含めた弾帯の総重量を部分的に肩でも受け、弾帯に携帯具による総重量が加わった場合に、大きな撓みを生じたり、変形せず、携帯具を容易かつ確実に支持し、弾体の上縁または下縁が身体に食い込まず、装着性を良くする吊バンド付弾帯を提供する。【解決手段】吊りバンド付き弾帯の帯状体２が、熱可塑性の合成樹脂繊維糸２０Ａ，２０Ｂにて織成され、帯状体２が、幅方向Ｉの上縁または下縁に織成されて、合成樹脂繊維糸にて織成される繊維組織部２１内に包まれる空洞部２２を有し、柔軟性を発揮する第１の繊維組織部２１をなす外縁耳部２３，２３と、外縁耳部の中間に亘り織成されて幅方向Ｉに剛性を発揮する第２の繊維組織部２４を有する帯状本体部２５とにより構成される。【選択図】図５
0003161840.tif 000002
【実用新案登録請求の範囲】
【請求項１】
帯状体の一側に、該帯状体の端部を折り返して係止し前記帯状体の長さを調整する調整具を設け、前記帯状体の両側を着脱可能に連結するバックル等の連結具を設け、前記帯状体の長手方向に、係止具係合用の孔を多数配列して設けて成る弾帯と、両肩に掛けられる吊りバンドの両端部に、前記弾帯の係止具係合用の孔に係脱自在に係合する係止具とを固着した吊りバンド付き弾帯において、
（イ）前記帯状体が、熱可塑性の合成樹脂繊維糸よりなる経糸と緯糸とを用いて織成され、
（ロ）前記帯状体が、幅方向の上縁または下縁に織成された内部に空洞部を有し、柔軟性を発揮する外縁耳部と、
（ハ）前記外縁耳部の中間に亘り織成されて幅方向に剛性を発揮する帯状本体部と、により構成されている
ことを特徴とする吊りバンド付き弾帯。
【請求項２】
前記外縁耳部が、中袋織りにより織成されていることを特徴とする請求項１に記載の吊りバンド付き弾帯。
【請求項３】
前記帯状本体部が、三重簾編みにより織成されていることを特徴とする請求項１または２に記載の吊りバンド付き弾帯。
【考案の詳細な説明】
【技術分野】
【０００１】
本考案は吊バンド付き弾帯に関し、腰に巻き付ける武装用の弾帯に、肩に掛ける吊りバンドを着脱自在に取付けることにより、弾帯に挿着した携帯具を含めた弾帯の総重量を部分的に肩でも受けるようにし、弾帯に携帯具による総重量が加わった場合に、大きな撓みを生じたり、変形することなく、携帯具を容易かつ確実に支持し、また弾体の上縁または下縁が身体に食い込まずに、装着性が良い吊バンド付き弾帯の改良に関するものである。
【背景技術】
【０００２】
従来、例えば腰に巻き付ける武装用の弾帯には、小銃弾や手榴弾を入れた弾のう、水筒、携帯シャベル等の携帯具が取付けられるので、携帯具を含めた弾帯の総重量が極めて大きくなり、腰に大きな負担がかかることになるため、かかる理由から、肩に掛ける吊りバンドの下端部を弾帯の総重量の一部を肩で支えて腰の負担を軽減する吊りバンド付き弾帯が提案されている。
【０００３】
そして、この吊りバンド付き弾帯は、弾帯の帯状体が皮革材で形成されるか或いは強靱な繊維材、例えば合成樹脂繊維材としてポリアミド繊維糸で織成され、帯状体の長さを調整する調整具と、また帯状体の両側には相互に着脱可能に連結されるバックル等の連結具とを設け、しかも前記帯状体の長手方向には、係止具係合用の孔を多数配列して設けている。そして、両肩に掛けられる吊りバンドは、前記弾帯に列設される係止具係合用の孔にワンタッチにて係脱自在に係合する係止具を両端部に設けることにより弾帯に取付けられる。また、弾のう、水筒、携帯シャベル等の携帯具は、略長四角形状の枠に形成され長辺の一側に開口部を有する懸吊具本体と、該懸吊具本体を貫通して前記開口部を閉鎖する差込ピンとにより構成される懸吊具の他側に固着される構成になされ、懸吊具本体の前記開口部内に弾帯を貫通することにより着脱自在に取付けられる。
【０００４】
また、弾帯に吊りバンドを取付けるための前記係止具は、前記吊りバンドの端部に連結されるバンド取付枠と、該バンド取付枠に座金部を介して軸部により回動可能に枢着され、一側に開口部を有するリング状の係止具本体と、該係止具本体に基端部が枢着され、先端部が前記開口部の端部の内面に当接する方向に附勢される閉鎖部材とにより構成され、係止具と弾帯との係合が簡単に行え、しかも弾帯に係合している係止具に外部の物が当たった場合に、閉鎖部材が係止具本体の開口部に対して外方向に不用意に開かれるのが阻止される構造の吊りバンド付き弾帯を出願人は既に提案し、権利化がはかられている（例えば特許文献１参照）。
【先行技術文献】
【特許文献】
【０００５】
【特許文献１】実用新案登録第３１０７９２６号公報
【考案の概要】
【考案が解決しようとする課題】
【０００６】
しかしながら、特許文献１に記載の上記従来の吊りバンド付き弾帯は、弾帯の帯状体が例えば合成樹脂繊維材としてポリアミド繊維糸で織成されているのにすぎないので、弾帯に携帯具、例えば弾のう、水筒、携帯シャベル等を、略長四角形状の枠に形成され長辺の一側に開口部を有する懸吊具本体と、該懸吊具本体を貫通して前記開口部を閉鎖する差込ピンとにより構成される懸吊具の他側に固着される構成になされ、懸吊具本体の前記開口部内に弾帯を貫通することにより着脱自在に取付けられて総重量が加わった場合に、大きな撓みを生じたり、変形することになり、携行しずらく、歩行も容易ではなかった。
【０００７】
また、特許文献１に記載の上記従来の吊りバンド付き弾帯は、弾帯の帯状体が例えば合成樹脂繊維材としてポリアミド繊維糸で織成されているものは、携帯具、例えば弾のう、水筒、携帯シャベル等の総重量が弾体に加わると、弾体の上縁または下縁が身体に食い込み、痛みを感じ、装着性が悪かった。
【０００８】
そこで、本考案は、弾帯に携帯具による総重量が加わった場合に、大きな撓みを生じたり、変形することなく、携帯具を容易かつ確実に支持し、また弾体の上縁または下縁に設けられた外縁耳部が身体に食い込まずに、装着性が良い吊バンド付き弾帯を提供することを目的とする。
【課題を解決するための手段】
【０００９】
本考案は上記課題に鑑みなされ、請求項１に記載の考案は、
帯状体の一側に、該帯状体の端部を折り返して係止し前記帯状体の長さを調整する調整具を設け、前記帯状体の両側を着脱可能に連結するバックル等の連結具を設け、前記帯状体の長手方向に、係止具係合用の孔を多数配列して設けて成る弾帯と、両肩に掛けられる吊りバンドの両端部に、前記弾帯の係止具係合用の孔に係脱自在に係合する係止具とを固着した吊りバンド付き弾帯において、
（イ）前記帯状体が、熱可塑性の合成樹脂繊維糸よりなる経糸と緯糸とを用いて織成され、
（ロ）前記帯状体が、幅方向の上縁または下縁に織成された内部に空洞部を有し、柔軟性を発揮する外縁耳部と、
（ハ）前記外縁耳部の中間に亘り織成されて幅方向に剛性を発揮する帯状本体部と、により構成されている
ことを特徴とする。
【００１０】
また、本考案の請求項２に記載の考案は、請求項１において、前記外縁耳部が、中袋織りにより織成されていることを特徴とする。
【００１１】
また、本考案の請求項３に記載の考案は、請求項１または２において、前記帯状本体部が、三重簾織りにより織成されていることを特徴とする。
【考案の効果】
【００１２】
本考案の請求項１に記載の考案によれば、帯状体の一側に、該帯状体の端部を折り返して係止し前記帯状体の長さを調整する調整具を設け、前記帯状体の両側を着脱可能に連結するバックル等の連結具を設け、前記帯状体の長手方向に、係止具係合用の孔を多数配列して設けて成る弾帯と、両肩に掛けられる吊りバンドの両端部に、前記弾帯の係止具係合用の孔に係脱自在に係合する係止具とを固着した吊りバンド付き弾帯において、前記帯状体が、熱可塑性の合成樹脂繊維糸よりなる経糸と緯糸とを用いて織成され、前記帯状体が、幅方向の上縁または下縁に織成された内部に空洞部を有し、柔軟性を発揮する外縁耳部と、前記外縁耳部の中間に亘り織成されて幅方向に剛性を発揮する帯状本体部と、により構成されているので、弾帯に携帯具、例えば弾のう、水筒、携帯シャベル等による総重量が加わった場合に、帯状体が大きく変形することなく、剛性を発揮して携帯具を容易かつ確実に支持することができる。また帯状体の上縁または下縁が身体に食い込まずに、装着性が良くなる。
【００１３】
また、本考案の請求項２に記載の考案は、請求項１において、前記外縁耳部が、中袋織りにより織成されているので、弾帯に携帯具、例えば弾のう、水筒、携帯シャベル等による総重量が加わる場合にも、帯状体の幅方向の上縁または下縁に合成樹脂繊維糸にて織成される繊維組織部内に空洞部を有する第１の繊維組織部をなす外縁耳部が、柔軟性を発揮するため、外縁耳部は身体に食い込まずに、痛みを生ぜず、装着性が良くなる。
【００１４】
また、本考案の請求項３に記載の考案は、請求項１または２において、前記帯状本体部が、三重簾編みにより織成されているので、略長四角形状の枠に形成され長辺の一側に開口部を有する懸吊具本体と、該懸吊具本体を貫通して前記開口部を閉鎖する差込ピンとにより構成される懸吊具の懸吊具本体の前記開口部内に弾帯を貫通することにより着脱自在に、帯状本体部に、弾のう、水筒、携帯シャベル等の携帯具を取付ける場合に、帯状本体部は剛性が発揮され、携帯具を構造堅牢に容易かつ確実に取付けることができる。
【図面の簡単な説明】
【００１５】
【図１】本考案の吊りバンド付き弾帯の実施形態１を示し、係止具の拡大正面図である。
【図２】図２は同じく吊りバンド付き弾帯およびこれに装備する物品の斜視図である。
【図３】図３は同じく本実施形態１に使用する弾帯の斜視図である。
【図４】図４は同じく弾帯に着脱可能な懸吊具の拡大正面図である。
【図５】図５は本実施形態の吊りバンド付き弾帯を組織的に示す拡大断面である。
【図６】図６は従来の三重簾織りを示す組織図である。
【考案を実施するための形態】
【００１６】
以下、図面に従って本考案の実施の最良の形態により、本考案の詳細を説明する。
【００１７】
図中、１は弾帯であり、この弾帯１は帯状体２の一側に、該帯状体２の端部を折り返して係止し、前記帯状体２の長さを調整する調整具３を設け、前記帯状体２の両側を着脱可能に連結する雄状連結具４Ａと雌状連結具４Ｂとよりなるバックル等の連結具４を設けることにより形成される。また、前記帯状体２の長手方向には、係止具係合用の孔５を多数配列して設けている。
【００１８】
そして、本実施形態の吊りバンド付き弾帯は、両肩に掛けられる吊りバンド６の両端部に、前記弾体１の係止具係合用の孔５に係脱自在に係合する係止具Ａを固着している。
【００１９】
また、携帯具Ｂは弾のう７、水筒８、携帯シャベル９等であり、この携帯具Ｂは、その裏面に固着された懸吊具１０により、簡単、容易に弾体１に取付けられる。そして、懸吊具１０は、例えば図４に示すように、ほぼ長四角形状の枠に形成された懸吊具本体１２の一方の（図において左側の）長辺に開口１１が設けられ、他方の長辺が携帯具Ｂ（弾のう７、水筒８、携帯シャベル９等）に固着される。
【００２０】
そして、開口１１を利用して内部に弾帯１を挿入し、懸吊具本体１２を貫通する差し込みピン１３により開口１１を閉鎖すると、懸吊具本体１２の下端部１２Ａが差し込みピン１３の先端を弾力的に挟持するようになっている。従って、各種の携帯具Ｂの中から必要となる携帯具Ｂを選択して、短時間に弾帯１に装着することができる吊りバンド付き弾帯におけることは、特許文献１に記載の従来の吊りバンド付き弾帯と同様の構成、作用である。
【００２１】
しかしながら、本実施形態１の吊りバンド付き弾帯は、例えば図５に示すように前記帯状体２が、熱可塑性の合成樹脂繊維糸よりなる経糸２０Ａと緯糸２０Ｂとに用いて織成され、前記帯状体２が、幅方向Ｉの上縁または下縁に合成樹脂繊維糸にて織成された繊維組織部の内部に空洞部２２を有し、柔軟性を発揮する第１の繊維組織部２１をなす外縁耳部２３,２３と、前記外縁耳部２３,２３の中間に亘り織成されて幅方向Ｉに剛性を発揮する第２の繊維組織部２４を有する帯状本体部２５と、により構成されている。経糸２０Ａと緯糸２０Ｂとに用いられる熱可塑性の合成樹脂繊維糸としては、ポリアミド樹脂繊維糸と、ポリエステル繊維糸との混紡糸が用いられる。
【００２２】
前記帯状本体部２５が、図５に示すように経糸２０Ａと緯糸２０Ｂとにより織成される表層側の第２の繊維組織部２４と、経糸２０Ａと緯糸２０Ｂとにより織成される裏層側の第２の繊維組織部２４との間に、芯糸２０Ｃが織成され、表層側の前記繊維組織部２４の緯糸２０Ｂと、裏層側の繊維組織部２４の緯糸２０Ｂは、絡糸２０Ｄにより断面ジグザグに絡んで織成されるという、三重簾編みにより織成される。前記外縁耳部２３,２３、および前記帯状本体部２５の織成には、例えば有限会社角谷鉄工所製の細幅織機が使用される。
【００２３】
前記外縁耳部２３,２３が、中袋織りにより織成されている。この中袋織りは、図５に示すように、前記帯状本体部２５に対し、基本的に経糸２０Ａと緯糸２０Ｂとにより織成され、表層側の第２の繊維組織部２４と、裏層側の第２の繊維組織部２４とを綴じるための綴糸２６は除かれた織成になすことにより、第１の前記繊維組織部２１,２１内に空洞部２２,２２を有することになる。すなわち、三重簾織りされた前記帯状本体部２５に対し、綴糸２６と、芯糸２０Ｃとを減じ、また、左右両側の綴糸２６,２６の耳部側に芯糸２０Ｃを残す織成により、剛性を失わないようにして、外縁耳部２３,２３の折れ曲がりを防止するようになっている。
【００２４】
このように、前記外縁耳部２３,２３を中袋織りにより織成したのは、弾帯１に携帯具Ｂ、例えば弾のう７、水筒８、携帯シャベル９等による総重量が加わる場合にも、帯状体２の幅方向Ｉの上縁または下縁に合成樹脂繊維糸よりなる縦糸２０Ａと、緯糸２０Ｂとにて織成される繊維組織部内に空洞部２２を有する第１の繊維組織部２１,２１をなす外縁耳部２３,２３が、ある程度の剛性を失わずに柔軟性を発揮するため、外縁耳部２３,２３は身体に食い込まずに、痛みを生ぜず、装着性を良くなる。
【００２５】
前記係止具Ａは、前記吊りバンド６の端部に連結され、内部に吊りバンド６の長さ調節部３０,３０或いは連結部３１,３１の先端部が挿通可能な扁平な孔が形成されたバンド取付枠３２と、該バンド取付枠３２の内側面に接触する座金部３３を介してバンド取付枠３２に頭部３４ａを有する軸部３４により回動可能に枢着され、一側に開口部３５を有するリング状の係止具本体３６と、該係止具本体３６に基端部３７ａが支軸Ｓにより枢着され、先端部３７ｂが前記開口部３５の端部の内面に当接する方向に附勢され、傾斜面３８に係止可能な閉鎖部材３７とにより構成される。
【００２６】
そして、前記吊りバンド６は、図２に示すように、背部３９と、背部３９の上端から二股に分かれて延設される幅の広い肩当て部４０と、該肩当て部４０の先端に設けられる長さ調節部３０と、背部３９の下端から二股に分かれて延設される連結部３１とにより構成される。そして、連結部３１の先端と長さ調節部３０の先端にそれぞれ係止具Ａが設けられる。
【００２７】
４１は肩当て部４０,４０の表面に縫着される係止部材であり、この係止部材４１,４１には救急袋４２が着脱自在に取付けられる。
【００２８】
本実施形態１の吊りバンド付き弾帯は以上の構成のように、例えば図５に示すように前記帯状体２が、熱可塑性の合成樹脂繊維糸の経糸２０Ａと、緯糸２０Ｂにて織成され、前記帯状体２が、幅方向Ｉの上縁または下縁に織成されて、合成樹脂繊維糸の経糸２０Ａと、 緯糸２０Ｂにて織成される繊維組織部内に空洞部２２を有し、柔軟性を発揮する第１の繊維組織部２１をなす外縁耳部２３,２３と、前記外縁耳部２３,２３の中間に亘り織成されて幅方向Ｉに剛性を発揮する第２の繊維組織部２４を有する帯状本体部２５と、により構成されているので、略長四角形状の枠に形成され長辺の一側に開口１１を有する懸吊具本体１２と、該懸吊具本体１２を貫通して前記開口１１を閉鎖する差込ピン１３とにより構成される懸吊具１０の懸吊具本体１２の前記開口１１内に弾帯１を貫通することにより着脱自在に、弾帯１の帯状本体部２５に、例えば弾のう７、水筒８、携帯シャベル９等の携帯具Ｂの総重量が加わった場合に、熱可塑性の合成樹脂繊維糸よりなる縦糸２０Ａと、緯糸２０Ｂとにて織成された帯状体２は、その幅方向Ｉの外縁耳部２３,２３の中間に亘り織成されている第２の繊維組織部２４を有する三重簾編みにより形成されている帯状本体部２５が、柔軟性に富んで大きく変形することなく、幅方向Ｉに剛性を発揮するため、携帯具Ｂを容易かつ確実に構造堅牢に支持することができる。
【００２９】
また帯状体２の幅方向Ｉの上縁または下縁に織成された外縁耳部２３,２３が、合成樹脂繊維糸よりなる縦糸２０Ａと、緯糸２０Ｂとで中袋織りにより織成される第１の繊維組織部２１内に空洞部２２を有するので、弾帯１に携帯具Ｂ、例えば弾のう７、水筒８、携帯シャベル９等による総重量が加わる場合にも、帯状体２の幅方向Ｉの上縁または下縁に合成樹脂繊維糸よりなる縦糸２０Ａと、緯糸２０Ｂとにて織成されて繊維組織部内に空洞部２２を有する第１の繊維組織部２１をなす外縁耳部２３,２３が、柔軟性を発揮するため、外縁耳部２３,２３は身体に食い込まずに、痛みを生ぜず、装着性は良い。
【産業上の利用可能性】
【００３０】
本考案の吊りバンド付き弾帯は、弾帯に携帯具による総重量が加わった場合に、大きな撓みを生じたり、変形することなく、携帯具を容易かつ確実に支持し、また弾体の上縁または下縁に織成された外縁耳部が身体に食い込まずに、装着性が良いという用途・機能に適する。
【符号の説明】
【００３１】
１       弾帯
２       帯状体
３       調整具
４       連結具
５       係止具係合用の孔
６       吊りバンド
１０     懸吊具
１３     差し込みピン
２０Ａ   縦糸
２０Ｂ   緯糸
２１     第１の繊維組織部
２２     空胴部
２３     外縁耳部
２４     第２の繊維組織部
２５     帯状本体部
Ａ       係止具
Ｂ       携帯具
【図１】
0003161840.tif 000003
【図２】
0003161840.tif 000004
【図３】
0003161840.tif 000005
【図４】
0003161840.tif 000006
【図５】
0003161840.tif 000007
【図６】
0003161840.tif 000008